(57)【要約】【課題】１操作で非使用状態から使用状態に遷移させることができる、シートトレイおよび画像形成装置を提供する。【解決手段】第１スライドトレイ１２には、前後方向に延びるレール１１１が設けられている。レール１１１と回動トレイ１４との間には、第１係合部１０３および第２係合部１０４を有するリンク部材１０１が架設されている。第１係合部１０３は、回動トレイ１４の回動を許容するよう回動トレイ１４と係合している。第２係合部１０４は、レール１１１に沿って移動可能にレール１１１と係合している。第２スライドトレイ１３がスライド収納位置から引出位置に向けて変位されると、その途中で第２係合部１０４がレール１１１の第１当接部１１３に当接する。第２スライドトレイ１３がさらに変位されると、回動トレイ１４が左回動軸８１を中心に回動することにより第１回動収納位置から展開位置に変位する。【選択図】図３
2018135173.tif 000002
【特許請求の範囲】
【請求項１】
第１方向および前記第１方向と直交する第２方向の両方向に延びる第１面が形成され、前記第１面に沿って前記第１方向に延びる第１ガイド部を有する第１トレイと、
前記第１面と平行に延びる第２面が形成され、前記第１ガイド部と係合する第２ガイド部を有し、前記第２ガイド部が前記第１ガイド部に対してスライドすることにより、前記第２面が前記第１面に対して前記第１面と直交する直交方向に重なる第１収納位置と前記第１収納位置から前記第１面と前記第２面との重なりが小さくなるよう前記第１方向の一方側に引き出された引出位置とに変位する第２トレイと、
前記第２トレイに対して前記第２面側に設けられて、前記直交方向に延びる回動軸に軸支され、前記回動軸から前記第２トレイの前記第１方向の前記一方側の端縁までの距離よりも長くかつ前記第２面と平行に延びる第３面を有し、前記回動軸を中心とする回動により、前記第３面が前記第２面に対して前記直交方向に重なる第２収納位置と、前記第３面と前記第２面との重なりが小さくなるよう前記第２方向と交差する方向に延びる展開位置とに変位する回動トレイと、
前記第１トレイに設けられ、前記第１方向に延びるレールと、
前記回動トレイの回動を許容するよう前記回動トレイと係合する第１係合部および前記レールに沿って移動可能に前記レールと係合する第２係合部を有するリンク部材とを備え、
前記レールは、前記第２トレイを前記第１収納位置から前記引出位置まで変位する途中で前記第２係合部が当接する第１当接部を有している、シートトレイ。
【請求項２】
第１方向および前記第１方向と直交する第２方向の両方向に延びる第１面が形成され、前記第１面に沿って前記第１方向に延びる第１ガイド部を有する第１トレイと、
前記第１面と平行に延びる第２面が形成され、前記第１ガイド部と係合する第２ガイド部を有し、前記第２ガイド部が前記第１ガイド部に対してスライドすることにより、前記第２面が前記第１面に対して前記第１面と直交する直交方向に重なる第１収納位置と前記第１収納位置から前記第１面と前記第２面との重なりが小さくなるよう前記第１方向の一方側に引き出された引出位置とに変位する第２トレイと、
前記第２トレイに対して前記第２面側に設けられて、前記直交方向に延びる回動軸に軸支され、前記回動軸から前記第２トレイの前記第１方向の前記一方側の端縁までの距離よりも長くかつ前記第２面と平行に延びる第３面を有し、前記回動軸を中心とする回動により、前記第３面が前記第２面に対して前記直交方向に重なる第２収納位置と、前記第３面と前記第２面との重なりが小さくなるよう前記第２方向と交差する方向に延びる展開位置とに変位する回動トレイと、
前記第１トレイに設けられ、前記第１方向に延びるレールと、
前記回動トレイの回動を許容するよう前記回動トレイと係合する第１係合部および前記レールに沿って移動可能に前記レールと係合する第２係合部を有するリンク部材とを備え、
前記レールは、前記第２トレイを前記引出位置から前記第１収納位置まで変位する途中で前記第２係合部が当接する第２当接部を有している、シートトレイ。
【請求項３】
請求項１に記載のシートトレイであって、
前記レールは、前記第２トレイを前記引出位置から前記第１収納位置まで変位する途中で前記第２係合部が当接する第２当接部を有している、シートトレイ。
【請求項４】
請求項１〜３のいずれか一項に記載のシートトレイであって、
前記第１ガイド部は、第１抜け止め部を有し、
前記第２ガイド部は、前記第２トレイが前記引出位置に位置する状態で、前記第１抜け止め部に対して前記第１方向の前記一方側と反対側から当接する第２抜け止め部を有している、シートトレイ。
【請求項５】
請求項１〜４のいずれか一項に記載のシートトレイであって、
前記第２トレイに取り付けられ、前記第２面との間で前記回動トレイを挟むカバーをさらに備える、シートトレイ。
【請求項６】
請求項５に記載のシートトレイであって、
前記カバーは、前記リンク部材を避けて設けられている、シートトレイ。
【請求項７】
請求項１〜６のいずれか一項に記載のシートトレイであって、
前記レールは、前記第１トレイを前記直交方向に貫通するスリットに形成されている、シートトレイ。
【請求項８】
請求項１〜７のいずれか一項に記載のシートトレイであって、
前記回動トレイは、２個備えられている、シートトレイ。
【請求項９】
請求項８に記載のシートトレイであって、
前記第２ガイド部は、前記第２トレイにおける前記第２方向の両端部および中央部に設けられており、
２個の前記回動トレイは、それぞれ前記第２方向の中央部の前記第２ガイド部に対して前記第２方向の一方側および他方側に前記回動軸を有している、シートトレイ。
【請求項１０】
シートを支持するシートトレイと、
前記シートトレイから搬送されるシートに画像を形成する画像形成部とを備え、
前記シートトレイは、請求項１〜９のいずれか一項に記載のシートトレイである、画像形成装置。
【発明の詳細な説明】
【技術分野】
【０００１】
本発明は、シートを支持するシートトレイおよびこれを備える画像形成装置に関する。
【背景技術】
【０００２】
プリンタや複写機などの画像形成装置では、用紙などのシートがシートを支持するトレイ（シートトレイ）から搬送路を搬送され、搬送路の途中に設けられた画像形成部により、その搬送中のシートに画像が形成される。
【０００３】
トレイの一例として、装置本体の側面に片持ち状態で支持されるものが知られている（たとえば、特許文献１参照）。このトレイは、装置本体の側面から延出する基端側載置台と、基端側載置台の先端部に連結された先端側載置台とを備えている。先端側載置台は、基端側載置台上に折り畳まれた位置と先端側載置台に対して展開して基端側載置台の延出方向に延びる位置とに回動可能に設けられている。また、先端側載置台の先端部には、２個の受けレバーが取り付けられている。受けレバーは、先端側載置台の先端縁に沿った収納位置と先端縁に対して傾斜して延出する受け位置とに回動可能に設けられている。
【０００４】
かかる構成により、先端側載置台が基板側載置台上に折り畳まれ、各受けレバーが収納位置に位置する非使用状態で、トレイのサイズがコンパクトになる。一方、先端側載置台が基端側載置台に対して展開し、各受けレバーが受け位置に位置する使用状態では、基端側載置台の延出方向に長尺なシートを基端側載置台、先端側載置台および各受けレバー上に支持することができる。
【先行技術文献】
【特許文献】
【０００５】
【特許文献１】特開平５−２７８８６８号公報
【発明の概要】
【発明が解決しようとする課題】
【０００６】
しかしながら、トレイを非使用状態から使用状態に遷移させるために、先端側載置台を基端側載置台に対して展開させる操作と各受けレバーを収納位置から受け位置に回動させる操作との２操作が必要になる。また、トレイを使用状態から非使用状態に遷移させる際にも、先端側載置台を基端側載置台に対して折り畳む操作と各受けレバーを受け位置から収納位置に回動させる操作との２操作が必要になる。
【０００７】
本発明の目的は、１操作で非使用状態から使用状態に遷移または使用状態から非使用状態に遷移させることができる、シートトレイおよび画像形成装置を提供することである。
【課題を解決するための手段】
【０００８】
前記の目的を達成するため、本発明の一の局面に係るシートトレイは、第１方向および第１方向と直交する第２方向の両方向に延びる第１面が形成され、第１面に沿って第１方向に延びる第１ガイド部を有する第１トレイと、第１面と平行に延びる第２面が形成され、第１ガイド部と係合する第２ガイド部を有し、第２ガイド部が第１ガイド部に対してスライドすることにより、第２面が第１面に対して第１面と直交する直交方向に重なる第１収納位置と第１収納位置から第１面と第２面との重なりが小さくなるよう第１方向の一方側に引き出された引出位置とに変位する第２トレイと、第２トレイに対して第２面側に設けられて、直交方向に延びる回動軸に軸支され、回動軸から第２トレイの第１方向の一方側の端縁までの距離よりも長くかつ第２面と平行に延びる第３面を有し、回動軸を中心とする回動により、第３面が第２面に対して直交方向に重なる第２収納位置と、第３面と第２面との重なりが小さくなるよう第２方向と交差する方向に延びる展開位置とに変位する回動トレイと、第１トレイに設けられ、第１方向に延びるレールと、回動トレイの回動を許容するよう回動トレイと係合する第１係合部およびレールに沿って移動可能にレールと係合する第２係合部を有するリンク部材とを備え、レールは、第２トレイを第１収納位置から引出位置まで変位する途中で第２係合部が当接する第１当接部を有している。
【０００９】
この構成によれば、第２トレイの第２ガイド部が第１トレイの第１ガイド部に対してスライドすることにより、第２トレイが第１収納位置と引出位置とに変位する。第２トレイが第１収納位置に位置する状態では、第１トレイの第１面と第２トレイの第２面とが第１面と直交する直交方向に大きく重なる。第２トレイが引出位置に位置する状態では、第１収納位置と比較して、第１面と第２面との重なりが小さくなり、第１面および第２面を直交方向に見た面積が拡大する。
【００１０】
また、第２トレイの第２面側には、回動トレイが設けられている。回動トレイは、直交方向に延びる回動軸に軸支され、その回動軸を中心とする回動により、第２収納位置と展開位置とに変位する。また、回動トレイは、回動軸から第２トレイの第１方向の一方側の端縁までの距離よりも長くかつ第２面と平行に延びる第３面を有している。回動トレイが第２収納位置に位置する状態では、第３面が第２面に対して直交方向に大きく重なる。回動トレイが展開位置に位置する状態では、第２収納位置と比較して、第２面と第３面との重なりが小さくなり、第２面および第３面を直交方向に見た面積が拡大する。
【００１１】
よって、第２トレイおよび回動トレイがそれぞれ第１収納位置および第２収納位置に位置する非使用状態から、第２トレイを引出位置に変位させ、回動トレイを展開位置に変位させることにより、第１面、第２面および第３面を直交方向に見た面積を拡大させることができる。その結果、第２トレイおよび回動トレイがそれぞれ引出位置および展開位置に位置する使用状態において、第１トレイ、第２トレイおよび回動トレイにより、第１方向に長尺なシートを安定して支持することができる。
【００１２】
そして、第１トレイには、第１方向に延びるレールが設けられており、レールと回動トレイとの間には、第１係合部および第２係合部を有するリンク部材が架設されている。第１係合部は、回動トレイの回動を許容するよう回動トレイと係合している。第２係合部は、レールに沿って移動可能にレールと係合している。レールには、第２トレイが第１収納位置から引出位置まで変位する途中で第２係合部が当接する第１当接部が設けられている。そのため、第２トレイおよび回動トレイがそれぞれ第１収納位置および第２収納位置に位置する非使用状態から、第２トレイが引出位置に向けて変位されると、その途中で第２係合部が第１当接部に当接する。この当接後、第２トレイがさらに変位されると、リンク部材がそれ以上に変位せず、回動トレイが回動軸を中心に回動することにより第２収納位置から展開位置に変位する。よって、第２トレイを第１収納位置から引出位置に変位させる１操作でシートトレイを非使用状態から第２トレイおよび回動トレイがそれぞれ引出位置および展開位置に位置する使用状態に遷移させることができる。
【００１３】
また、本発明の他の局面に係るシートトレイは、第１方向および第１方向と直交する第２方向の両方向に延びる第１面が形成され、第１面に沿って第１方向に延びる第１ガイド部を有する第１トレイと、第１面と平行に延びる第２面が形成され、第１ガイド部と係合する第２ガイド部を有し、第２ガイド部が第１ガイド部に対してスライドすることにより、第２面が第１面に対して第１面と直交する直交方向に重なる第１収納位置と第１収納位置から第１面と第２面との重なりが小さくなるよう第１方向の一方側に引き出された引出位置とに変位する第２トレイと、第２トレイに対して第２面側に設けられて、直交方向に延びる回動軸に軸支され、回動軸から第２トレイの第１方向の一方側の端縁までの距離よりも長くかつ第２面と平行に延びる第３面を有し、回動軸を中心とする回動により、第３面が第２面に対して直交方向に重なる第２収納位置と、第３面と第２面との重なりが小さくなるよう第２方向と交差する方向に延びる展開位置とに変位する回動トレイと、第１トレイに設けられ、第１方向に延びるレールと、回動トレイの回動を許容するよう回動トレイと係合する第１係合部およびレールに沿って移動可能にレールと係合する第２係合部を有するリンク部材とを備え、レールは、第２トレイを引出位置から第１収納位置まで変位する途中で第２係合部が当接する第２当接部を有している。
【００１４】
この構成によれば、一の局面に係るシートトレイと同様、第２トレイおよび回動トレイがそれぞれ引出位置および展開位置に位置する使用状態において、第１トレイ、第２トレイおよび回動トレイにより、第１方向に長尺なシートを安定して支持することができる。
【００１５】
そして、第１トレイには、第１方向に延びるレールが設けられており、レールと回動トレイとの間には、第１係合部および第２係合部を有するリンク部材が架設されている。第１係合部は、回動トレイの回動を許容するよう回動トレイと係合している。第２係合部は、レールに沿って移動可能にレールと係合している。レールには、第２トレイが引出位置から第１収納位置まで変位する途中で第２係合部が当接する第２当接部が設けられている。そのため、第２トレイおよび回動トレイがそれぞれ引出位置および展開位置に位置する使用状態から、第２トレイが第１収納位置に向けて変位されると、その途中で第２係合部が第２当接部に当接する。この当接後、第２トレイがさらに変位されると、リンク部材がそれ以上に変位せず、回動トレイが回動軸を中心に回動することにより展開位置から第２収納位置に変位する。よって、第２トレイを引出位置から第１収納位置に変位させる１操作でシートトレイを使用状態から第２トレイおよび回動トレイがそれぞれ第１収納位置および第２収納位置に位置する非使用状態に遷移させることができる。
【００１６】
なお、本発明は、シートトレイの形態で実現することができるだけでなく、たとえば、シートトレイを備える画像形成装置の形態で実現することもできる。
【００１７】
すなわち、本発明の他の局面に係る画像形成装置は、シートを支持するシートトレイと、シートトレイから搬送されるシートに画像を形成する画像形成部とを備え、シートトレイは、第１方向および第１方向と直交する第２方向の両方向に延びる第１面が形成され、第１面に沿って第１方向に延びる第１ガイド部を有する第１トレイと、第１面と平行に延びる第２面が形成され、第１ガイド部と係合する第２ガイド部を有し、第２ガイド部が第１ガイド部に対してスライドすることにより、第２面が第１面に対して第１面と直交する直交方向に重なる第１収納位置と第１収納位置から第１面と第２面との重なりが小さくなるよう第１方向の一方側に引き出された引出位置とに変位する第２トレイと、第２トレイに対して第２面側に設けられて、直交方向に延びる回動軸に軸支され、回動軸から第２トレイの第１方向の一方側の端縁までの距離よりも長くかつ第２面と平行に延びる第３面を有し、回動軸を中心とする回動により、第３面が第２面に対して直交方向に重なる第２収納位置と、第３面と第２面との重なりが小さくなるよう第２方向と交差する方向に延びる展開位置とに変位する回動トレイと、第１トレイに設けられ、第１方向に延びるレールと、回動トレイの回動を許容するよう回動トレイと係合する第１係合部およびレールに沿って移動可能にレールと係合する第２係合部を有するリンク部材とを備え、レールは、第２トレイを第１収納位置から引出位置まで変位する途中で第２係合部が当接する第１当接部、または、第２トレイを引出位置から第１収納位置まで変位する途中で第２係合部が当接する第２当接部を有している。
【発明の効果】
【００１８】
本発明によれば、１操作で非使用状態から使用状態に遷移または使用状態から非使用状態に遷移させることができる。
【図面の簡単な説明】
【００１９】
【図１】本発明の一実施形態に係るプリンタの左前側から見た斜視図である。
【図２】マルチパーパストレイの右上側から見た斜視図であり、カバートレイが開き、第１スライドトレイが露出位置に位置し、第２スライドトレイが引出位置に位置し、２個の回動トレイがそれぞれ第１展開位置および第２展開位置に位置する状態を示す。
【図３】第１スライドトレイ、第２スライドトレイおよび２個の回動トレイの下側から見た平面図であり、第１スライドトレイが露出位置に位置し、第２スライドトレイが引出位置に位置し、２個の回動トレイがそれぞれ第１展開位置および第２展開位置に位置する状態を示す。
【図４】図３に示される切断面線Ａ−Ａにおける第１スライドトレイ、第２スライドトレイおよび２個の回動トレイの断面図である。
【図５】図３に示される切断面線Ｂ−Ｂにおける第１スライドトレイ、第２スライドトレイおよび２個の回動トレイの断面図である。
【図６】第２スライドトレイおよび２個の回動トレイの下側から見た平面図であり、第２スライドトレイがスライド収納位置に位置し、２個の回動トレイがそれぞれ第１回動収納位置および第２回動収納位置に位置する状態を示す。
【図７】第１スライドトレイ、第２スライドトレイおよび２個の回動トレイの下側から見た平面図であり、第２スライドトレイがスライド収納位置に位置し、２個の回動トレイがそれぞれ第１回動収納位置および第２回動収納位置に位置する状態を示す。
【発明を実施するための形態】
【００２０】
以下では、本発明の実施の形態について、添付図面を参照しつつ詳細に説明する。
【００２１】
＜画像形成装置＞
図１に示されるように、画像形成装置の一例であるプリンタ１は、略直方体形状の筐体２を備えている。
【００２２】
筐体２の底部には、給紙トレイ３が設けられている。給紙トレイ３は、複数枚のシートを積層状態で支持することができる。筐体２の正面には、マルチパーパストレイ４（シートトレイの一例）が設けられている。マルチパーパストレイ４は、筐体２の正面に沿って閉じた位置（図１に実線で示される位置）とその位置から手前側に倒伏して開いた位置（図１に二点鎖線で示される位置）とに変位可能に設けられている。マルチパーパストレイ４は、開いた状態で、複数枚のシートを積層状態で支持することができる。筐体２の上面には、排紙トレイ５が形成されている。給紙トレイ３またはマルチパーパストレイ４に支持されているシートは、給紙トレイ３またはマルチパーパストレイ４から筐体２内に１枚ずつ送り出され、筐体２内を排紙トレイ５に向けて搬送される。シートが筐体２内を搬送される間に、筐体２内に収容されている画像形成部６により、シートに画像（カラー画像またはモノクロ画像）が形成される。画像形成部６による画像形成の方式は、電子写真方式であってもよいし、インクジェット方式であってもよい。画像が形成されたシートは、排紙トレイ５上に排出される。
【００２３】
なお、マルチパーパストレイ４が設けられている正面側をプリンタ１の「前側」とし、その反対側を「後側」と規定する。そして、水平面に載置されたプリンタ１を「前側」から見た状態を基準に、プリンタ１の「上側」、「下側」、「左側」および「右側」を規定する。以下の説明で使用される方向は、マルチパーパストレイ４のカバートレイ１１（図２参照）が開いた位置での方向であり、各図では、その方向が矢印で示されている。
【００２４】
＜マルチパーパストレイ＞
マルチパーパストレイ４は、図２に示されるように、カバートレイ１１、第１スライドトレイ１２（第１トレイの一例）、第２スライドトレイ１３（第２トレイの一例）および２個の回動トレイ１４，１５を備えている。
【００２５】
＜カバートレイ＞
カバートレイ１１は、マルチパーパストレイ４の基端部である。カバートレイ１１は、図２に示されるように、マルチパーパストレイ４が閉じた位置で外面が筐体２の正面（前面）の一部を構成する外側トレイ２１Ａと、外側トレイ２１Ａに対してその内面側に隙間を開けて積み重なる内側トレイ２１Ｂとを備えている。
【００２６】
外側トレイ２１Ａは、略矩形板状をなしている。外側トレイ２１Ａの基端側（マルチパーパストレイ４が開いた状態での後側）の端部には、左揺動軸部２２および右揺動軸部２３が形成されている。左揺動軸部２２および右揺動軸部２３は、それぞれ外側トレイ２１Ａの左側面から左側および右側面から右側に突出している。左揺動軸部２２および右揺動軸部２３が筐体２に回動可能に保持されることにより、カバートレイ１１は、筐体２に片持ち状態で揺動可能に支持されている。
【００２７】
外側トレイ２１Ａの内面には、左右方向の中央部に、左ガイドレール２４および右ガイドレール２５が形成されている。左ガイドレール２４および右ガイドレール２５は、それぞれ外側トレイ２１Ａの左右方向の中央を挟んだ左側および右側に設けられ、互いに平行をなして左右方向と直交する方向（前後方向）に延びる突条をなしている。
【００２８】
内側トレイ２１Ｂは、図２に示されるように、外側トレイ２１Ａよりも小サイズの略矩形板状をなしている。
【００２９】
内側トレイ２１Ｂには、左右方向の中央部を挟んだ左右両側に、それぞれ左右方向に延びるガイド溝３１，３２が厚さ方向に貫通して形成されている。内側トレイ２１Ｂ上には、一対のシート幅ガイド３３が設けられている。一対のシート幅ガイド３３は、それらの間の中央を基準に、それぞれガイド溝３１，３２に沿って互いに同じ移動量で近接／離間可能に構成されている。一対のシート幅ガイド３３の間隔は、マルチパーパストレイ４上に支持されるシートの左右方向の幅に合わせて調節される。そして、シートは、一対のシート幅ガイド３３間に前側から差し込まれて、マルチパーパストレイ４上に中央基準で載置される。
【００３０】
なお、一対のシート幅ガイド３３のうちの右側のシート幅ガイド３３のみが図２に示され、左側のシート幅ガイド３３の図示が省略されている。また、図２では、右側のシート幅ガイド３３が右端に配置されている状態と中央側の端に配置されている状態とが共に実線で示されている。
【００３１】
＜第１スライドトレイ＞
第１スライドトレイ１２は、カバートレイ１１よりも小サイズの略矩形板状をなしている。第１スライドトレイ１２の左右方向の中央部には、図３に示されるように、中央ガイド部４１，４２（第１ガイド部の一例）が設けられている。中央ガイド部４１，４２は、それぞれカバートレイ１１の左ガイドレール２４および右ガイドレール２５を左右両側および上側から覆う断面形状（断面略コ字状）に形成されている。これにより、中央ガイド部４１，４２がそれぞれ左ガイドレール２４および右ガイドレール２５に案内されつつ、第１スライドトレイ１２がカバートレイ１１（図２参照）の外側トレイ２１Ａと内側トレイ２１Ｂとの間に収容される収容位置とその収容位置よりも前側の位置であってカバートレイ１１から露出する露出位置との間でスライド可能となっている。
【００３２】
第１スライドトレイ１２の左端部および右端部には、それぞれ左ガイド部４３および右ガイド部４４（第１ガイド部の一例）が設けられている。左ガイド部４３は、第１スライドトレイ１２から上側に立ち上がり、右側に屈曲して延びる断面略Ｌ字状をなしている。右ガイド部４４は、第１スライドトレイ１２から上側に立ち上がり、左側に屈曲して延びる断面略Ｌ字状をなしている。
【００３３】
また、左ガイド部４３および右ガイド部４４の各前端部には、それぞれ左右方向の内側に突出する第１抜け止め部４５，４６が形成されている。
【００３４】
＜第２スライドトレイ＞
第２スライドトレイ１３は、図２に示されるように、第１スライドトレイ１２よりも小サイズの略矩形板状をなしている。第２スライドトレイ１３の左右方向の中央部には、図４に示されるように、中央ガイド部５１（第２ガイド部の一例）が設けられている。中央ガイド部５１は、第１スライドトレイ１２の中央ガイド部４１，４２の間に嵌合している。
【００３５】
また、第２スライドトレイ１３の左端部および右端部には、それぞれ左ガイド部５２および右ガイド部５３（第２ガイド部の一例）が設けられている。左ガイド部５２および右ガイド部５３は、左右方向および前後方向に延びる板状をなし、それぞれ第１スライドトレイ１２の上面５４（第１面の一例）と左ガイド部４３および右ガイド部４４との間に入り込んでいる。
【００３６】
これにより、中央ガイド部５１が第１スライドトレイ１２の中央ガイド部４１，４２に案内され、左ガイド部５２および右ガイド部５３がそれぞれ第１スライドトレイ１２の左ガイド部４３および右ガイド部４４に案内されつつ、第２スライドトレイ１３の下面５５（第２面の一例）が第１スライドトレイ１２の上面５４の上側に重なるスライド収納位置（第１収納位置の一例）とそのスライド収納位置から下面５５と第１スライドトレイ１２の上面５４との重なりが小さくなるよう前側に引き出された引出位置との間でスライド可能となっている。
【００３７】
また、左ガイド部５２および右ガイド部５３の各後端部には、それぞれ左側および右側に突出する第２抜け止め部５６，５７が形成されている。第２スライドトレイ１３がスライド収納位置から引出位置までスライド変位されると、第２抜け止め部５６，５７がそれぞれ第１スライドトレイ１２の左ガイド部４３の第１抜け止め部４５および右ガイド部４４の第１抜け止め部４６に後側から当接する。これにより、第２スライドトレイ１３が引出位置を越えて前側にスライドされることが阻止される。
【００３８】
＜回動トレイ＞
回動トレイ１４，１５は、図２および図３に示されるように、第２スライドトレイ１３の前端部に中央ガイド部５１を挟んで左右方向に対称に設けられて、第２スライドトレイ１３の下面５５に回動可能に軸支されている。
【００３９】
具体的には、回動トレイ１４，１５は、一方向に延びる板状をなしている。第２スライドトレイ１３の下面５５の前端部には、図３に示されるように、中央ガイド部５１から左側および右側にほぼ等しい距離を開けた位置に、それぞれ左回動軸８１および右回動軸８２（回動軸の一例）が形成されている。
【００４０】
左側の回動トレイ１４は、一端部に左回動軸８１が遊びを有して挿通されることにより、第２スライドトレイ１３の下面５５に回動可能に軸支されている。回動トレイ１４の上面８３（第３面の一例。図２参照）は、第２スライドトレイ１３の下面５５と平行に延び、その長手方向に左回動軸８１の中心と第２スライドトレイ１３の前端縁との間の前後方向の距離Ｄ１よりも長い寸法Ｄ２を有している。そして、回動トレイ１４は、左回動軸８１を中心とする回動により、左回動軸８１から左側に延びて上面８３が第２スライドトレイ１３の下面５５に下側から重なる第１回動収納位置（第２収納位置の一例）と、上面８３と下面５５との重なりが小さくなるよう左回動軸８１から左前側に延びる第１展開位置（展開位置の一例）とに変位可能となっている。
【００４１】
右側の回動トレイ１５は、一端部に右回動軸８２が遊びを有して挿通されることにより、第２スライドトレイ１３の下面５５に回動可能に軸支されている。回動トレイ１５の上面８４（第３面の一例。図２参照）は、第２スライドトレイ１３の下面５５と平行に延び、その長手方向に右回動軸８２の中心と第２スライドトレイ１３の前端縁との間の前後方向の距離Ｄ１よりも長い寸法Ｄ２を有している。そして、回動トレイ１５は、右回動軸８２を中心とする回動により、右回動軸８２から右側に延びて上面８４が第２スライドトレイ１３の下面５５に下側から重なる第２回動収納位置と、上面８４と下面５５との重なりが小さくなるよう右回動軸８２から右前側に延びる第２展開位置とに変位可能となっている。
【００４２】
回動トレイ１４，１５の前端縁に沿って、それぞれ壁状部８５，８６が下側に突出して形成されている。
【００４３】
第２スライドトレイ１３の下面５５には、カバー９１，９２が取り付けられており、回動トレイ１４，１５は、それぞれ第２スライドトレイ１３の下面５５とカバー９１，９２とに挟まれている。カバー９１，９２は、左右対称な構成を有している。回動トレイ１４，１５がそれぞれ第１回動収納位置および第２回動収納位置に位置する状態では、図７に示されるように、壁状部８５，８６が第２スライドトレイ１３の前端縁に当接し、カバー９１，９２により、それぞれ左側の回動トレイ１４の壁状部８５を除く部分のほぼ全域および右側の回動トレイ１５の壁状部８６を除く部分のほぼ全域が覆われる。
【００４４】
＜リンク部材＞
回動トレイ１４，１５にそれぞれ対応づけて、図３、図５および図６に示されるように、リンク部材１０１，１０２が設けられている。
【００４５】
リンク部材１０１は、図３および図６に示されるように、左側の回動トレイ１４の下側かつ左回動軸８１の右側の位置から後側に長く延びる略長方形板状をなしている。第２スライドトレイ１３がスライド収納位置に位置し、回動トレイ１４が第１回動収納位置に位置する状態において、リンク部材１０１は、カバー９１の右側をカバー９１を後側に越える位置まで延びている。
【００４６】
リンク部材１０１の前端部には、図３および図５に示されるように、第１係合部１０３が設けられている。第１係合部１０３は、リンク部材１０１から上側に延出する円柱状をなしている。第１係合部１０３は、左回動軸８１の中心よりも前側かつ右側の位置で、回動トレイ１４の回動を許容するよう回動トレイ１４と係合している。
【００４７】
リンク部材１０１の後端部には、第２係合部１０４が設けられている。第２係合部１０４は、リンク部材１０１から下側に延出する円柱状をなしている。第２係合部１０４の下端は、上下方向において、第１スライドトレイ１２の下面とほぼ同じ位置に位置している。
【００４８】
リンク部材１０２は、図３および図６に示されるように、右側の回動トレイ１５の下側かつ右回動軸８２の左側の位置から後側に長く延びる略長方形板状をなしている。第２スライドトレイ１３がスライド収納位置に位置し、回動トレイ１５が第２回動収納位置に位置する状態において、リンク部材１０２は、カバー９２の左側をカバー９２を後側に越える位置まで延びている。
【００４９】
リンク部材１０２の前端部には、第１係合部１０５が設けられている。第１係合部１０５は、リンク部材１０１から上側に延出する円柱状をなしている。第１係合部１０５は、右回動軸８２の中心よりも前側かつ左側の位置で、回動トレイ１５の回動を許容するよう回動トレイ１５と係合している。
【００５０】
リンク部材１０１の後端部には、第２係合部１０６が設けられている。第２係合部１０６は、リンク部材１０１から下側に延出する円柱状をなしている。第２係合部１０６の下端は、上下方向において、第１スライドトレイ１２の下面とほぼ同じ位置に位置している。
【００５１】
第１スライドトレイ１２には、図３および図７に示されるように、レール１１１，１１２が左右方向に間隔を空けて設けられている。
【００５２】
左側のレール１１１は、図３に示されるように、左側のリンク部材１０１と左右方向に同じ位置において、第１スライドトレイ１２を厚さ方向（上下方向）に貫通して前後方向に延びるスリットに形成されている。また、レール１１１は、リンク部材１０１の第２係合部１０４の直径よりも大きな幅を有している。レール１１１には、その第２係合部１０４がレール１１１内を前後方向に移動可能に挿通されている。言い換えれば、リンク部材１０１の第２係合部１０４は、レール１１１に沿って移動可能にレール１１１と係合している。レール１１１の前端部は、左側の回動トレイ１４が第１展開位置に位置するときに第２係合部１０４が当接する第１当接部１１３として形成されている。一方、レール１１１の後端部は、回動トレイ１４が第１回動収納位置に位置するときに第２係合部１０４が当接する第２当接部１１４として形成されている。
【００５３】
右側のレール１１２は、右側のリンク部材１０２と右右方向に同じ位置において、第１スライドトレイ１２を厚さ方向（上下方向）に貫通して前後方向に延びるスリットに形成されている。また、レール１１２は、リンク部材１０２の第２係合部１０６の直径よりも大きな幅を有している。レール１１２には、その第２係合部１０６がレール１１２内を前後方向に移動可能に挿通されている。言い換えれば、リンク部材１０２の第２係合部１０６は、レール１１２に沿って移動可能にレール１１２と係合している。レール１１２の前端部は、右側の回動トレイ１５が第２展開位置に位置するときに第２係合部１０６が当接する第１当接部１１５として形成されている。一方、レール１１２の後端部は、回動トレイ１５が第２回動収納位置に位置するときに第２係合部１０６が当接する第２当接部１１６として形成されている。
【００５４】
＜トレイ動作＞
第２スライドトレイ１３がスライド収納位置に位置し、回動トレイ１４，１５がそれぞれ第１回動収納位置および第２回動収納位置に位置する非使用状態では、図７に示されるように、左側のリンク部材１０１の第２係合部１０４がレール１１１の第２当接部１１４に当接し、右側のリンク部材１０２の第２係合部１０６がレール１１２の第２当接部１１６に当接している。
【００５５】
非使用状態から、第２スライドトレイ１３が引出位置に向けてスライドされると、そのスライドに伴って、第２係合部１０４，１０６がそれぞれレール１１１，１１２内を前側に移動する。第２スライドトレイ１３が引出位置に位置する前、つまり第２スライドトレイ１３が引出位置に向けてスライド変位する途中で、第２係合部１０４，１０６がそれぞれレール１１１の第１当接部１１３およびレール１１２の第１当接部１１５に当接する。
【００５６】
その状態から、第２スライドトレイ１３が引出位置に向けてさらにスライドされると、第２係合部１０４，１０６がそれぞれ第１当接部１１３，１１５から後側に向かう力を受ける。第２係合部１０４が受ける力は、第１係合部１０３を介して回動トレイ１４に伝達され、回動トレイ１４を下側から見て時計回りに回動させる。一方、第２係合部１０６が受ける力は、第１係合部１０５を介して回動トレイ１５に伝達され、回動トレイ１５を下側から見て反時計回りに回動させる。
【００５７】
そして、図３に示されるように、第２スライドトレイ１３の第２抜け止め部５６，５７がそれぞれ第１スライドトレイ１２の第１抜け止め部４５，４６に後側から当接すると、第２スライドトレイ１３のそれ以上のスライド変位が阻止されて、第２スライドトレイ１３が引出位置に到達する。それと同時に、回動トレイ１４，１５の回動が停止し、回動トレイ１４，１５がそれぞれ第１展開位置および第２展開位置に位置する。
【００５８】
一方、使用状態から、第２スライドトレイ１３がスライド収納位置に向けてスライドされると、そのスライドに伴って、第２係合部１０４，１０６がそれぞれレール１１１，１１２内を後側に移動する。第２スライドトレイ１３がスライド収納位置に位置する前、つまり第２スライドトレイ１３がスライド収納位置に向けてスライド変位する途中で、第２係合部１０４，１０６がそれぞれレール１１１の第２当接部１１４およびレール１１２の第２当接部１１６に当接する。
【００５９】
その状態から、第２スライドトレイ１３がスライド収納位置に向けてさらにスライドされると、第２係合部１０４，１０６がそれぞれ第１当接部１１３，１１５から前側に向かう力を受ける。第２係合部１０４が受ける力は、第１係合部１０３を介して回動トレイ１４に伝達され、回動トレイ１４を下側から見て反時計回りに回動させる。一方、第２係合部１０６が受ける力は、第１係合部１０５を介して回動トレイ１５に伝達され、回動トレイ１５を下側から見て時計回りに回動させる。
【００６０】
そして、図３に示されるように、第２スライドトレイ１３がスライド収納位置に到達すると、回動トレイ１４，１５の回動が停止し、第２スライドトレイ１３および回動トレイ１４，１５の非使用状態に戻る。
【００６１】
＜作用効果＞
以上のように、第２スライドトレイ１３の中央ガイド部５１、左ガイド部５２および右ガイド部５３がそれぞれ第１スライドトレイ１２の中央ガイド部４１，４２、左ガイド部４３および右ガイド部４４に対してスライドすることにより、第２スライドトレイ１３がスライド収納位置と引出位置とに変位する。第２スライドトレイ１３がスライド収納位置に位置する状態では、第１スライドトレイ１２の上面５４と第２スライドトレイ１３の下面５５とが上面５４と直交する上下方向に大きく重なる。第２スライドトレイ１３が引出位置に位置する状態では、スライド収納位置と比較して、上面５４と下面５５との重なりが小さくなり、上面５４および下面５５を上下方向に見た面積が拡大する。
【００６２】
第２スライドトレイ１３の下面５５側には、回動トレイ１４，１５が設けられている。左側の回動トレイ１４は、上下方向に延びる左回動軸８１に軸支され、その左回動軸８１を中心とする回動により、第１回動収納位置と第１展開位置とに変位する。右側の回動トレイ１５は、上下方向に延びる右回動軸８２に軸支され、その右回動軸８２を中心とする回動により、第２回動収納位置と第２展開位置とに変位する。回動トレイ１４は、左回動軸８１の中心と第２スライドトレイ１３の前端縁との間の前後方向の距離Ｄ１よりも長くかつ下面５５と平行に延びる上面８３を有し、回動トレイ１５は、右回動軸８２の中心と第２スライドトレイ１３の前端縁との間の前後方向の距離Ｄ１よりも長くかつ下面５５と平行に延びる上面８４を有している。
【００６３】
回動トレイ１４，１５がそれぞれ第１回動収納位置および第２回動収納位置に位置する状態では、それらの上面８３，８４が第２スライドトレイ１３の下面５５に対して上下方向に大きく重なる。回動トレイ１４，１５がそれぞれ第１展開位置および第２展開位置に位置する状態では、第２スライドトレイ１３の下面５５と回動トレイ１４の上面８３および回動トレイ１５の上面８４との重なりが小さくなり、下面５５および上面８３，８４を上下方向に見た面積が拡大する。
【００６４】
よって、第２スライドトレイ１３および回動トレイ１４，１５がそれぞれスライド収納位置、第１回動収納位置および第２回動収納位置に位置する非使用状態から、第２スライドトレイ１３を引出位置に変位させ、回動トレイ１４，１５をそれぞれ第１展開位置および第２展開位置に変位させることにより、第１スライドトレイ１２、第２スライドトレイ１３、回動トレイ１４および回動トレイ１５を上下方向に見た面積を拡大させることができる。その結果、第２スライドトレイ１３および回動トレイ１４，１５がそれぞれ引出位置および展開位置に位置する使用状態において、第１スライドトレイ１２、第２スライドトレイ１３および回動トレイ１４，１５により、前後方向に長尺なシートを安定して支持することができる。
【００６５】
そして、第１スライドトレイ１２には、前後方向に延びるレール１１１，１１２が設けられている。レール１１１と回動トレイ１４との間には、第１係合部１０３および第２係合部１０４を有するリンク部材１０１が架設されている。第１係合部１０３は、回動トレイ１４の回動を許容するよう回動トレイ１４と係合している。第２係合部１０４は、レール１１１に沿って移動可能にレール１１１と係合している。レール１１１には、第２スライドトレイ１３がスライド収納位置から引出位置まで変位する途中で第２係合部１０４が当接する第１当接部１１３が設けられている。また、レール１１２と回動トレイ１５との間には、第１係合部１０５および第２係合部１０６を有するリンク部材１０２が架設されている。第１係合部１０５は、回動トレイ１５の回動を許容するよう回動トレイ１５と係合している。第２係合部１０６は、レール１１２に沿って移動可能にレール１１２と係合している。レール１１２には、第２スライドトレイ１３がスライド収納位置から引出位置まで変位する途中で第２係合部１０６が当接する第１当接部１１５が設けられている。
【００６６】
そのため、第２スライドトレイ１３および回動トレイ１４，１５がそれぞれスライド収納位置、第１回動収納位置および第２回動収納位置に位置する非使用状態から、第２スライドトレイ１３が引出位置に向けて変位されると、その途中で第２係合部１０４，１０６がそれぞれ第１当接部１１３，１１５に当接する。この当接後、第２スライドトレイ１３がさらに変位されると、リンク部材１０１，１０２がそれ以上に変位せず、回動トレイ１４が左回動軸８１を中心に回動することにより第１回動収納位置から展開位置に変位し、回動トレイ１５が右回動軸８２を中心に回動することにより第２回動収納位置から展開位置に変位する。よって、第２スライドトレイ１３をスライド収納位置から引出位置に変位させる１操作でマルチパーパストレイ４を非使用状態から第２スライドトレイ１３および回動トレイ１４，１５がそれぞれ引出位置および展開位置に位置する使用状態に遷移させることができる。
【００６７】
また、レール１１１には、第２スライドトレイ１３が引出位置からスライド収納位置まで変位する途中で第２係合部１０４が当接する第２当接部１１４が設けられ、レール１１２には、第２スライドトレイ１３が引出位置からスライド収納位置まで変位する途中で第２係合部１０６が当接する第２当接部１１６が設けられている。
【００６８】
そのため、第２スライドトレイ１３および回動トレイ１４，１５がそれぞれ引出位置、第１展開位置および第２展開位置に位置する使用状態から、第２スライドトレイ１３がスライド収納位置に向けて変位されると、その途中で第２係合部１０４，１０６がそれぞれ第２当接部１１４，１１６に当接する。この当接後、第２スライドトレイ１３がさらに変位されると、リンク部材１０１，１０２がそれ以上に変位せず、回動トレイ１４が左回動軸８１を中心に回動することにより第１展開位置から第１回動収納位置に変位し、回動トレイ１５が右回動軸８２を中心に回動することにより第２展開位置から第２回動収納位置に変位する。よって、第２スライドトレイ１３を引出位置からスライド収納位置に変位させる１操作でマルチパーパストレイ４を使用状態から第２スライドトレイ１３および回動トレイ１４，１５がそれぞれスライド収納位置、第１回動収納位置および第２回動収納位置に位置する非使用状態に遷移させることができる。
【００６９】
また、第１スライドトレイ１２に第１抜け止め部４５，４６が設けられ、第２スライドトレイ１３に第２抜け止め部５６，５７が設けられている。第２スライドトレイ１３がスライド収納位置から引出位置に向けてスライドされる際、第２抜け止め部５６，５７がそれぞれ第１抜け止め部４５，４６に後側から当接すると、第２スライドトレイ１３のそれ以上のスライド変位が阻止されて、第２スライドトレイ１３が引出位置に到達する。それと同時に、回動トレイ１４，１５の回動が停止し、回動トレイ１４，１５がそれぞれ第１展開位置および第２展開位置に位置する。これにより、リンク部材１０１，１０２からそれぞれ回動トレイ１４，１５に過大な力が加わることを抑制でき、ひいては回動トレイ１４，１５からそれぞれ左回動軸８１および右回動軸８２に過大な力が加わることを抑制できる。よって、回動トレイ１４，１５、左回動軸８１、右回動軸８２およびリンク部材１０１，１０２などの破損を抑制することができる。
【００７０】
また、マルチパーパストレイ４には、カバー９１，９２が設けられており、回動トレイ１４および回動トレイ１５がそれぞれ第１展開位置および第２展開位置に位置する状態で、回動トレイ１４および回動トレイ１５の各一部は、第２スライドトレイ１３とカバー９１，９２との間に挟まれる。そのため、回動トレイ１４および回動トレイ１５の強度が上がり、回動トレイ１４，１５が下側に撓み変形することを抑制できる。
【００７１】
カバー９１，９２は、それぞれリンク部材１０１，１０２を避けて、それらに重ならないように設けられている。これにより、カバー９１，９２およびリンク部材１０１，１０２が設けられていることによる厚みの増大を抑制でき、マルチパーパストレイ４の厚みを小さく抑えることができる。
【００７２】
また、レール１１１，１１２は、第１スライドトレイ１２を上下方向に貫通するスリットに形成されている。そして、第２係合部１０４，１０６がそれぞれレール１１１，１１２を貫通して設けられている。そのため、レール１１１，１１２と第２係合部１０４，１０６との係合が外れにくい。
【００７３】
＜変形例＞
以上、本発明の一実施形態について説明したが、本発明は、他の形態で実施することもできる。
【００７４】
たとえば、前述の実施形態では、画像形成装置の一例としてプリンタ１を取り上げたが、本発明が適用される画像形成装置は、単機能のプリンタ１に限らず、画像形成機能および画像読取機能を有するファクシミリ装置や複合機であってもよい。
【００７５】
本発明が適用される装置は、画像形成装置に限らず、本発明は、シートを支持するシートトレイを備える各種の装置に適用できる。
【００７６】
その他、前述の構成には、特許請求の範囲に記載された事項の範囲で種々の設計変更を施すことが可能である。
【符号の説明】
【００７７】
１：プリンタ
４：マルチパーパストレイ
６：画像形成部
１２：第１スライドトレイ
１３：第２スライドトレイ
１４，１５：回動トレイ
４１，４２：中央ガイド部
４３：左ガイド部
４４：右ガイド部
４５，４６：第１抜け止め部
５１：中央ガイド部
５２：左ガイド部
５３：右ガイド部
５４：上面
５５：下面
５６，５７：第２抜け止め部
８１：左回動軸
８２：右回動軸
８３：上面
８４：上面
９１，９２：カバー
１０１，１０２：リンク部材
１０３，１０５：第１係合部
１０４，１０６：第２係合部
１１１，１１２：レール
１１３，１１５：第１当接部
１１４，１１６：第２当接部
Ｄ１：距離
Ｄ２：寸法
【図１】
2018135173.tif 000003
【図２】
2018135173.tif 000004
【図３】
2018135173.tif 000005
【図４】
2018135173.tif 000006
【図５】
2018135173.tif 000007
【図６】
2018135173.tif 000008
【図７】
2018135173.tif 000009